(57)【特許請求の範囲】
【請求項１】
目盛り板（２０）と、
光源（３０、４０、４０ａ）と、
前記目盛り板の裏面側に配設されて当該目盛り板の中央穴部（２１）内に指針軸（６１）を延出させる駆動装置（６０）と、
前記指針軸の先端部にて前記目盛り板の表面に沿い回動可能に支持された発光指針であって前記光源からの光を前記中央穴部を通し入射されて発光し指示表示する発光指針（Ｐ）とを備える指針装置であって、
前記発光指針が、指針部（７２）を有する長手状の導光性指針本体（７０）と、長手状の遮光用キャップ（８０）とを備えており、
前記キャップが、箱状のキャップ本体であって前記指針本体をその表面及び外周面にて覆うように収容するキャップ本体（８０ａ）と、このキャップ本体の周壁に組み付けられる底板（８０ｂ）とを備えており、
前記キャップ本体は、その前記指針部に対応する表面部分にて長手方向に沿うスリット（８１ａ）を有しており、
前記底板は、その前記指針部の先端に対する先端対応部（８８）にて、前記キャップ本体の周壁のうち前記指針部の先端に対する先端対応部（８４）に係合し、
かつ、前記底板は、その両側（８６、８７、８９ａ）にて、前記キャップ本体の両側（８２、８３、８５）に係合する指針装置。
【請求項２】
前記底板の先端対応部は突起（８８）を有し、前記キャップ本体の先端対応部は環状突起（８４）を有しており、
前記底板の先端対応部は、その突起にて前記キャップ本体の環状突起内に挿入されることで、前記キャップ本体の先端対応部に係合することを特徴とする請求項１に記載の指針装置。
【請求項３】
前記底板の両側はそれぞれピン（８５）を有しており、これらピンが前記キャップ本体の両側の各位置部（８９ａ）に熱かしめされることを特徴とする請求項１又は２に記載の指針装置。
【発明の詳細な説明】
【０００１】
【発明の属する技術分野】
本発明は、目盛り板上にて発光指針により指示表示するようにした指針装置に関する。
【０００２】
【従来の技術】
従来、この種の指針装置では、発光指針が、その回動中心部にて、駆動装置から導光板及び目盛り板の各中央穴部を通り回動可能に延出する指針軸の上端に支持されている。
そして、この発光指針は、導光板からその中央穴部及び目盛り板の中央穴部を通し光を導入されて発光し、指針部にて目盛り板上に指示表示する。
【０００３】
ここで、発光指針の構成について説明すると、この発光指針は、長手状の指針本体と、この指針本体を覆う遮光用キャップとを備えている。
キャップは、指針本体をその表面側及び外周側から覆う断面略コ字状キャップ本体と、指針部の裏面を覆う底板とにより構成されている。
そして、キャップ本体の上壁部（指針部表面に対応する壁部）には、長手状のスリットが指針部の長手方向に沿い形成されて指針部からの光を外方へ出射させる。これにより、発光指針の発光作用が確保される。
【０００４】
また、キャップの底板は、指針本体内に導入された光が指針部の裏面から漏れること、所謂、ハレーションの発生を防止する役割を果たす。
【０００５】
【発明が解決しようとする課題】
ところで、上記指針装置において、キャップを指針本体に組み付けるにあたっては、例えば、キャップ本体を、指針本体にその表面側から被せ、然る後、指針部をその裏面側から覆うように、底板をキャップ本体の開口部に固定する。
しかし、このように底板をキャップ本体の開口部に固定するに際しては、底板のキャップ本体に対する固定作業が簡単に行えることが要請される。
【０００６】
また、この固定作業の後、底板がキャップ本体から外れて脱落しないようにすることが要請される。
本発明は、以上のようなことに対処すべく、指針装置において、その発光指針のキャップの構造に工夫を凝らし、キャップの底板をキャップ本体に簡単に固定し得るとともにこの固定後に底板がキャップ本体から離脱不能にすることを目的とする。
【０００７】
【課題を解決するための手段】
上記課題の解決にあたり、請求項１乃至３に記載の発明によれば、キャップの底板は、その指針部の先端に対する先端対応部にて、キャップ本体の周壁のうち指針部の先端に対する先端対応部に係合する。さらに、底板は、その両側にて、キャップ本体の両側に係合する。
【０００８】
これにより、上記両係合でもって、底板がキャップ本体に簡単にかつ離脱不能に固定され得る。
ここで、請求項２に記載の発明によれば、底板の先端対応部は、その突起にてキャップ本体の環状突起内に挿入されることで、キャップ本体の先端対応部に係合する。
【０００９】
これにより、請求項１に記載の発明の作用効果をより一層向上できる。
また、請求項３に記載の発明によれば、底板の両側は、その各ピンにて、キャップ本体の両側の各位置部（８９ａ）に熱かしめされる。
これにより、底板がキャップ本体に対しより一層しっかりと固定され得る。
【００１０】
【発明の実施の形態】
以下、本発明の各実施形態を図面に基づいて説明する。
（第１実施形態）
図１は、本発明に係る車両用指針装置の一実施形態を示している。
この指針装置は、当該車両の車室内のインストルメントパネルに設けられている。
【００１１】
指針装置は、目盛り板ユニットＵを備えており、この目盛り板ユニットＵは、ケーシング１０の開口部１１内に装着されている。
目盛り板ユニットＵは、目盛り板２０と、この目盛り板２０の裏面に装着した導光板３０と、この導光板３０の側方に配置した直線状の冷陰極管４０及びリフレクタ５０とにより構成されている。
【００１２】
冷陰極管４０は導光板３０内にその端面３１から光を入射させる。リフレクタ５０は、冷陰極管４０からの光を導光板３０の端面３１に向けて反射する。
導光板３０は、透明のアクリル樹脂のような導光材料からなるもので、この導光板３０は、その内部にて、冷陰極管４０からの入射光を相互反射させながら中央穴部３２に向けて進行させる。
【００１３】
ここで、中央穴部３２の周壁３２ａは、導光板３０の反射壁（以下、反射壁３２ａという）としての役割を果たすもので、この反射壁３２ａは、導光板３０の上壁側から裏壁側にかけて円錐形状にて末広がり状に形成されている。
このため、導光板３０の内部にて中央穴部３２に向けて進行する光は、反射壁３２ａにより反射されて目盛り板２０の中央穴部２１を通り出射する。
【００１４】
また、指針装置は、駆動装置６０を備えており、この駆動装置６０は、ケーシング１０内にてその底壁１２上に固定されている。この駆動装置６０は指針軸６１を備えており、この指針軸６１は、駆動装置６０の上壁中央から導光板３０の中央穴部３２及び目盛り板２０の中央穴部２１内に回動可能に延出している。
また、導光板３０は、図２乃至図５にて示すように、長穴状の開口部３３ａ、３３ｂ、３４ａ、３４ｂを備えており、これら開口部３３ａ、３３ｂ、３４ａ、３４ｂは、中央穴部３１の近傍にて導光板３０に形成されている。
【００１５】
また、導光板３０は、傾斜状の反射壁３５、３６ａ、３６ｂ、３７ａ、３７ｂを備えており、これら反射壁３５、３６ａ、３６ｂ、３７ａ、３７ｂは導光板３０の裏面にて、図３乃至図５にて示すごとく、形成されている。
ここで、両開口部３３ａ、３３ｂは、図２にて示すごとく、中央穴部３１を基準としてその図示左右両側にて対称的に位置し、中央穴部３１から離れる方向にわずかに湾曲して形成されている。そして、これら両開口部３３ａ、３３ｂは、互いに対向する各壁部にて、導光板３０内に冷陰極管４０から入射される光を、各反射壁３７ａ、３７ｂに向けて反射する。
【００１６】
また、両開口部３４ａ、３４ｂは、中央穴部３１を基準としてその図示左右両側にて対称的に位置し、略直線状に形成されており、これら開口部３４ａ、３４ｂは、互いに対向する各壁部にて、導光板３０内に冷陰極管４０から入射される光を、各反射壁３５、３６ａ、３６ｂに向けて反射する。
これにより、導光板３０の反射壁３２ａに向かう光をより一層増大させることができる。
【００１７】
また、指針装置は、発光指針Ｐを備えており、この発光指針Ｐは、その回動中心部にて、指針軸６１の上端部に圧入により支持されている。
発光指針Ｐは、図１及び図６にて示すごとく、長手状の指針本体７０と、遮光用キャップ８０とを備えている。
指針本体７０は、透明の導光樹脂材料により形成されており、この指針本体７０は、その筒状ボス部７１（発光指針Ｐの上記回動中心部に相当する）にて、指針軸６１の上端部に圧入により支持されている。また、この指針本体７０の指針部７２は、目盛り板２０の表面に沿い延出している。
【００１８】
また、指針本体７０は、白色の反射膜７４を備えており、この反射膜７４は、指針部７２の裏面にその長手方向に沿い形成されている。
キャップ８０は、キャップ本体８０ａと、底板８０ｂとを備えており、キャップ本体８０ａは、図１にて示すような断面形状にて遮光性樹脂材料により形成されている。
【００１９】
また、キャップ本体８０ａは、指針本体７０を覆うようにその上壁側から被せられており、このキャップ本体８０ａの上壁８１中の指針部７２の上壁７２ａに対応する部分には、長手状のスリット８１ａが、指針部７２の幅方向中央にてその長手方向に沿い形成されている。
しかして、指針本体７０は、導光板３０内にて反射壁３２ａにより反射された光を指針本体７０のボス部７１の周囲から導入し、この導入光を、反射壁７３（指針本体７０の傾斜状後壁）にて指針部７２内に向けて反射する。
【００２０】
これにより、指針部７２は、その内部に向け反射壁７３により反射された光を相互反射させながら、その先端に向けて進行させつつ、上壁７２ａからキャップ本体８０ａのスリット８１ａを通し出射させる。
このことは、発光指針Ｐが、スリット８１ａからの出射光に基づき発光して指示表示することを意味する。なお、反射膜７４が、その反射作用により、指針部７２からスリット８１ａを通る出射光量を増大させる。なお、キャップ８０の内壁には、白色印刷等の処理が施されている。
【００２１】
次に、キャップ８０におけるキャップ本体８０ａと底板８０ｂとの組み付け構造について図６に基づいて説明する。
キャップ本体８０ａは、一対の二股状突起８２（図６では一方の突起８２のみを示す）と、他の一対の二股状突起８３（図６では一方の突起８３のみを示す）を備えている。両突起８２及び両突起８３は、キャップ本体８０ａの幅方向両側壁部の各中間部位から図６にて図示下方に向けそれぞれ突出形成されており、両突起８２と両突起８３とは、キャップ本体８０ａの長手方向において間隔をおいて位置している。
【００２２】
また、キャップ本体８０ａの長手方向先端壁８４は、図６にて示すごとく、キャップ本体８０ａの幅方向両側壁部よりも下方へ突出形成されており、この長手方向先端壁８４は環状突起（以下、環状突起８４という）として形成されている。
また、キャップ本体８０ａは、一対の熱かしめ用ピン８５（図６では一方のピンのみを示す）を備えており、これらピン８５は、指針本体７０の両側壁から幅方向に突出する両環状耳部７５（図６では一方の耳部７５のみを示す）に挿通されるように、キャップ本体８０ａの幅方向両側壁部の各後端部から図６にて図示下方へそれぞれ突出している。
【００２３】
底板８０ｂは、図６にて示すごとき形状を有するように遮光性樹脂材料により形成されており、この底板８０ｂの幅方向両側部の各中間部位には、一対の突起８６及び他の一対の突起８７がキャップ本体８０ａの一対の突起８２及び一対の突起８３にそれぞれ対応し、底板８０ｂの幅方向に沿い外方へ突出形成されている。
【００２４】
また、底板８０ｂの長手方向先端部には、突起８８が、底板８０ｂの長手方向に沿い外方へ突出形成されている。
なお、底板８０ｂの幅方向中央には、底板８０ｂの軽量化を図るため、複数の抜き穴部８９が形成されており、これら抜き穴部８９は、指針部７２の反射膜７４に対向して位置するとともにこの反射膜７４よりも狭い開口面を有する。
【００２５】
また、図１及び図６において、符号各８９ａは、底板８０ｂの後端両側部に形成した各貫通穴部をそれぞれ示しており、これら各貫通穴部８９ａには、キャップ本体８０ａの各ピン８５が挿通される。また、符号８０ｃはバランサを示す。しかして、キャップ本体８０ａに対する底板８０ｂの組み付けを次のようにして行う。
【００２６】
キャップ本体８０ａを、指針本体７０にその上壁７２ａ側から被せる。このとき、キャップ本体８０ａの各ピン８５が指針本体７０の各耳部８５にそれぞれ挿通されるようにする。
その後、底板８０ｂを、キャップ本体８０ａと重なるように、指針本体７０の指針部７２の裏面に反射膜７４を介して下方から当接させる。このとき、底板８０ｂの突起８８を環状突起８４に挿入しつつ、底板８０ｂの一対の突起８６及び一対の突起８７を、それぞれ、キャップ本体８０ａの一対の二股状突起８２及び一対の二股状突起８３に嵌め込むようにする。さらに、キャップ本体８０ａの各ピン８５をキャップ本体８０ａの各貫通穴部８９ａにそれぞれ挿通するようにする。
【００２７】
この場合、各突起８２、８３は、共に二股状になっているので、各突起８６、８７に対する各突起８２、８３の嵌め込みが容易に行える。
その後、各ピン２５の先端部を底板８０ｂの各貫通穴部８９ａに熱かしめする。
以上のような作業でもって、キャップ本体８０ａに指針本体７０を収容した状態にて、底板８０ｂをキャップ本体８０ａに対し簡単に組み付けることができる。
【００２８】
また、上述のように、各突起８６、８７が各突起８２、８３内に嵌め込まれるとともに突起８８が環状突起８４に挿入された状態にて、各ピン８５が各貫通穴部８９ａに挿通熱かしめされている。
従って、このようにして組み付けを完了した発光指針Ｐにおいては、指針装置に機械的振動が加わったり、底板８０ｂに不用意な外力が加わったりしても、底板８０ｂがキャップ本体８０ａから離脱することがない。
【００２９】
また、上述のようなキャップ本体８０ａに対する底板８０ｂの組み付けにより、底板８０ｂの外周部とキャップ本体８０ａの開口部内表面との間からの指針部７２からの光の漏洩を確実に防止できる。
また、底板８０ｂには複数の抜き穴部８９が形成されているが、これら各抜き穴部８９は指針部７２の反射膜７４に接近して対向し、かつこの反射膜７４よりも狭い開口面を有する。従って、指針部７２内の光が反射膜７４の外周から各抜き穴部８９を通り漏れることもない。
【００３０】
なお、本実施形態では、上記構成の指針装置が、目盛り板２０を共通の要素として、車速、回転数、水温及び燃料量等を指示表示するように複数の指針装置として採用されるが、単一の指針装置のみでもよい。
図７は、本発明の第２実施形態の要部を示している。
この第２実施形態では、上記第１実施形態にて述べた発光指針Ｐが、図７にて示すごとく変更されている。
【００３１】
即ち、図７においては、発光指針Ｐのうち、指針本体７０の両耳部７５が廃止されている。また、キャップ８０のキャップ本体８０ａにおいては、一対の環状突起８２ａ、一対の環状突起８３ａ及び一対の突起８５ａが、図６にて示す一対の二股状突起８２、一対の二股状突起８３及び一対のピン８５に代えて、それぞれ、キャップ本体８０ａの両側壁中間部位に突出形成されている。
【００３２】
また、底板８０ｂにおいては、図６の底板８０ｂのうち後端両側部が廃止されている。その他の構成は上記第１実施形態と同様である。
このように構成した本第２実施形態では、上記第１実施形態と同様にキャップ本体８０ａの底板８０ｂを組み付けるとき、キャップ本体８０ａの両突起７５ａにより、指針本体７０の両側壁が挟持される。
【００３３】
これにより、底板８０ｂがキャップ本体８０ａに簡単に組み付けられ得る。この場合、上記第１実施形態にて述べた各二股状突起８２、８３とは異なり、各突起８２ａ、８３ａが環状に形成されているので、キャップ本体８０ａからの底板８０ｂの離脱をより一層不能にし得る。
その結果、上記第１実施形態にて述べたと同様の作用効果が、上記熱かしめを行うことなく、より一層向上され得る。
【００３４】
図８は、上記第２実施形態の変形例を示している。
この変形例では、キャップ本体８０ａの底板８０ｂが、上記変形例にて述べた底板８０ｂ（図７参照）において、各抜き穴部８９を廃止した構成となっている。
このため、指針本体７０の指針部７２から底板８０ｂを介する光の漏洩がより一層防止され得る。なお、指針部７２の反射膜７４は、廃止してもよい。
【００３５】
なお、上記変形例では、光源として導光板３０及び冷陰極管４０を採用した例について説明したが、これに代えて、ランプ４０ａを光源として採用し発光指針Ｐ内に設けて実施してもよい。
即ち、ランプ４０ａの採用に併せて、導光板３０が廃止されるとともに、指針本体７０及びキャップ本体８０ａが図９にて示すごとく変更されている。
【００３６】
即ち、ランプ４０ａを発光指針Ｐ内に収容するため、指針本体７０の後部が、ボス部７１の後端を基準にし廃止されている。また、ランプ４０ａの光を指針本体７０に導入し易くするように、この指針本体７０の後端壁７５が、ボス部７１の軸方向に平行に形成されている。その他の構成は上記変形例と同様である。
このように冷陰極管４０に代えて、ランプ４０ａを採用しても、導光板３０を廃止しつつ上記変形例と同様の作用効果を達成できる。
【００３７】
なお、本発明の実施にあたっては、車両に限ることなく、船舶や各種産業機器用指針装置（発光指針を備えたもの）に、本発明を適用してもよい。
【図面の簡単な説明】
【図１】本発明に係る指針装置の第１実施形態を示す断面図である。
【図２】図１の導光板の部分平面図である。
【図３】図２にて３−３線に沿う断面図である。
【図４】図２にて４−４線に沿う断面図である。
【図５】図２にて５−５線に沿う断面図である。
【図６】図１の発光指針の分解拡大斜視図である。
【図７】本発明に係る指針装置の第２実施形態の要部を示す斜視図である。
【図８】上記第２実施形態の変形例の要部を示す斜視図である。
【図９】上記変形例の部分的変形例を示す断面図である。
【符号の説明】
Ｐ…発光指針、２０…目盛り板、２１…中央穴部、３０…導光板、
４０…冷陰極管、４０ａ…ランプ、６０…駆動装置、６１…指針軸、
７０…指針本体、７２…指針部、８０…キャップ、８０ａ…キャップ本体、
８０ｂ…底板、８１ａ…スリット、８２、８３…二股状突起、
８２ａ、８３ａ、８４、…環状突起、８５…ピン、８６、８７、８８…突起、
８９ａ…貫通穴部。
【図１】
0003653941.tif 000002
【図２】
0003653941.tif 000003
【図３】
0003653941.tif 000004
【図４】
0003653941.tif 000005
【図５】
0003653941.tif 000006
【図６】
0003653941.tif 000007
【図７】
0003653941.tif 000008
【図８】
0003653941.tif 000009
【図９】
0003653941.tif 000010